(57)【特許請求の範囲】
【請求項１】
石材（１６）を支持する支持アングル（１１）を建物の壁体（１４）に堅固に固定すると共に、支持アングル（１１）の壁体（１４）への付着時、断熱材（１５）の損傷を最小化して断熱効果を高めるために、壁体（１４）に固定されたアンカーボルト（１２）のねじ山に沿って移動するようにねじ穴（１０４）を中央に形成する支持体（１０１）と、
前記支持体（１０１）の回転によって発生する回転力によって、断熱材（１５）を貫通して挿入されて壁体（１４）と接触して支持されるように支持体（１０１）に形成される切刃部（１０２）と、を備えることを特徴とする建築用石材支持アングルの支持装置。
【請求項２】
前記切刃部（１０２）の外周と断熱材（１５）との間に空気が流れ込むことによって断熱効果が低下することを防止するために、支持体（１０１）の外周面に形成されるフランジ（１０５）をさらに備えることを特徴とする請求項１に記載の建築用石材支持アングルの支持装置。
【請求項３】
工具（１７）を利用して前記支持体（１０１）をアンカーボルト（１２）に螺合させるように、支持体（１０１）のねじ穴（１０４）の外周面部に工具（１７）が挿入される凹部（１０３）をさらに備えることを特徴とする請求項１に記載の建築用石材支持アングルの支持装置。
【発明の詳細な説明】
【技術分野】
【０００１】
本発明は、建築用石材支持アングルの支持装置に係り、さらに詳細には、支持体の中央にねじ穴を形成して、支持体が壁体に固定されたアンカーボルトのねじ山に沿って移動可能にし、支持体に切刃部を形成して、切刃部がねじ穴の移動によって発生する回転力によって、断熱材を貫通して挿入されて壁体と接触して支持されるものであって、支持体の切刃部によって断熱材を円形にカットしつつ挿入されて壁体と接触して支持されるため、その後に結合される支持アングルが曲がったり傾く現象なしで安定した状態で固定させることができるため、堅固な支持力を得ることができ、支持体の切刃部によってカットされる断熱材は、外部に落下せずに支持体の内部に位置するため、支持アングルの壁体への付着時、断熱材の損傷を最小化して断熱材の断熱効果を最大限に活用することができる建築用石材支持アングルの支持装置に関する。
【背景技術】
【０００２】
図１及び図２は従来の支持アングルを示す。
前記従来の支持アングルは、建物の壁体７の表面に大理石のような石材８を固定させるために、壁体７に付着する断熱材６の表面に垂直板１を接触させた後、壁体７に固定されたアンカーボルト５に垂直長孔２を挿入してナット４によって固定し、水平板３には石材８を搭載する構成を有する。
【０００３】
前記のような従来技術は、壁体７の表面に断熱材６を付着させた後、断熱材６の表面に露出したアンカーボルト５に支持アングルの垂直長孔２を挿入して垂直板１を断熱材６に接触させ、垂直長孔２に挿入されたアンカーボルト５にはナット４を締結して支持アングルを固定する。
【０００４】
しかし、前記アンカーボルト５にナット４を締結する途中に、断熱材６の弾力によって支持アングルが堅固に固定されずに曲がったり傾いた状態で固定される。
【０００５】
したがって、前記支持アングルが曲がったり傾いた状態で固定されることによって、後工程である石材８を水平板３に固定するとき、整然とした状態で固定することができないという問題点があった。
また、前記支持アングルが堅固な固定状態を維持していないため、石材が不安定な状態で付着したり、石材８が離脱するなどの危険な問題点もあった。
【０００６】
前記のような問題点を解決するために、最近では前記支持アングルを壁体７と直接接触させるために、支持アングルが接触する断熱材６の部位を四角形に裁断して、貫通孔を形成した後、この貫通孔に支持アングルの垂直板１を挿入して壁体７と直接接触させて固定する方法を利用する作業現場もある。
【０００７】
しかし、前記支持アングルは、一つの建物に数十ないし数百個が付着するところ、前記数十ないし数百個の支持アングルを付着させるためには、数十ないし数百個の貫通孔を裁断せねばならないため、非常に非効率な作業であった。
【０００８】
特に、前記のように、数十ないし数百個の貫通孔を裁断すれば、断熱効果もそれだけ低下するため、別途の断熱措置を取らなければならない煩雑で、かつ不便であるという問題点があった。
【発明の概要】
【発明が解決しようとする課題】
【０００９】
このような従来の問題点を解決するために、本発明は、支持体の切刃部によって断熱材を円形にカットしつつ挿入されて壁体と接触して支持されるため、今後に結合される支持アングルを、曲がったり傾く現象なしで安定した状態で固定することができるため、堅固な支持力を得ることができ、支持体の切刃部によってカットされる断熱材は、外部に落下せずに支持体の内部に位置するため、支持アングルの壁体への付着時、断熱材の損傷を最小化して断熱材の断熱効果を最大限に活用可能にすることを目的とする。
【課題を解決するための手段】
【００１０】
前記の目的を達成するために、本発明は、支持体の中央にねじ穴を形成して、支持体が壁体に固定されたアンカーボルトのねじ山に沿って移動可能にし、支持体に切刃部を形成して、切刃部がねじ穴の移動によって発生する回転力によって断熱材を貫通して挿入されて、壁体と接触して支持されることを特徴とする。
【発明の効果】
【００１１】
本発明によれば、支持体の切刃部によって断熱材を円形にカットしつつ挿入されて壁体と接触して支持されるため、今後に結合される支持アングルを、曲がったり傾く現象なしで安定した状態で固定することができるため、堅固な支持力を得ることができる。
【００１２】
本発明は、支持体の切刃部によってカットされる断熱材は外部に落下せずに支持体の内部に位置するため、支持アングルの壁体への付着時、断熱材の損傷を最小化して断熱材の断熱効果を最大限に活用することができる。
【図面の簡単な説明】
【００１３】
【図１】図１は従来の支持アングルの構成を示す部分切開斜視図である。
【図２】図２は従来の支持アングルの結合状態を説明するための図である。
【図３】図３は本発明の建築用石材支持アングルの支持装置の構成を示す斜視図である。
【図４】図４は本発明の建築用石材支持アングルの支持装置の結合過程を説明するための図である。
【図５】図５は本発明の建築用石材支持アングルの支持装置の結合過程を説明するための図である。
【図６】図６は本発明の建築用石材支持アングルの支持装置によって支持される支持アングルの位置調節作用を説明するための図である。
【図７】図７は本発明の建築用石材支持アングルの支持装置によって支持される支持アングルに石材が搭載された状態を示す図である。
【発明を実施するための形態】
【００１４】
以下、添付図面によって本発明の構成を詳細に説明する。
【００１５】
本発明の建築用石材支持アングルの支持装置は、石材１６を支持する支持アングル１１を建物の壁体１４に堅固に固定すると共に、支持アングル１１の壁体１４への付着時、断熱材１５の損傷を最小化して断熱効果を高めるために、壁体１４に固定されたアンカーボルト１２のねじ山に沿って移動するようにねじ穴１０４を中央に形成する支持体１０１と、前記支持体１０１の回転によって発生する回転力によって断熱材１５を貫通して挿入されて、壁体１４と接触して支持されるように支持体１０１に形成される切刃部１０２と、を備える。
【００１６】
そして、前記切刃部１０２と断熱材１５との間に空気が流れ込むことによって断熱効果が低下することを防止するために支持体１０１の外周面に形成されるフランジ１０５をさらに備える。
【００１７】
また、工具１７を利用して前記支持体１０１をアンカーボルト１２に螺合させるように、支持体１０１のねじ穴１０４の外周面部に工具１７が挿入される凹部１０３をさらに備える。
このような本発明の作用を説明すれば次の通りである。
【００１８】
図３は、本発明の建築用石材支持アングルの支持装置の構成を示す部分切開斜視図である。まず、本発明の支持体１０１は、壁体１４に付着した断熱材１５の表面に露出したアンカーボルト１２に螺合する。
そして、支持アングル１１の垂直板に形成された垂直長孔をアンカーボルト１２に結合してナット１３を締結させれば結合が完了する。
【００１９】
すなわち、図４及び図５は、本発明の建築用石材支持アングルの支持装置の結合過程を説明するための図である。本発明の支持体１０１の中央に形成されたねじ穴１０４を、壁体１４の断熱材１５に露出したアンカーボルト１２に螺合させる。
【００２０】
このとき、前記アンカーボルト１２にねじ穴１０４が螺合すれば、支持体１０１がねじ山に沿って移動及び回転しつつ、支持体１０１に形成された切刃部１０２が断熱材１５を円形にカットする。
そして、前記切刃部１０２は、反復回転によって断熱材１５を貫通して壁体１４と接触し、支持体１０１は前記壁体７によってそれ以上回転せずに停止する。
前記のように、本発明の支持体１０１は、カットされた断熱材１５を外部に落下させずに内部の空間に満たすようになる。
前記のようにカットされた断熱材６を支持体１０１の内部に満たすため、断熱効果を低下させなくなる。
【００２１】
また、前記の支持体１０１は、作業者が手作業で回転させることでアンカーボルト１２に結合することも可能であるが、その数が非常に多いため無理なことになる。
これにより、本発明は、電動工具１７などが挿入されるように、支持体１０１のねじ穴１０４の外周面部に凹部１０３を形成する。
すなわち、前記の凹部１０３に電動工具１７などを挿入して自動的に回転させることによって、支持体１０１の組み立て作業をさらに迅速に行うことができる。
【００２２】
前記のように、支持体１０１の組み立て作業が完了すれば、堅固に支持された支持体１０１のねじ穴１０４に露出したアンカーボルト１２に既存の支持アングル１１を結合するところ、前記支持アングル１１の垂直板に形成された垂直長孔をアンカーボルト１２に挿入し、ナット１３を締結して固定すれば良い。
このとき、前記支持アングル１１は、図６に示すように、垂直長孔内で容易に上下に移動することにより、位置を調節した後に固定することができる。
そして、前記支持体１０１に支持アングル１１を堅固に固定させた後は、図７に示すように、石材１６を支持アングル１１上に搭載して固定させれば良い。
【００２３】
一方、本発明の支持体１０１の外周面に形成されたフランジ１０５は、切刃部１０２のカット動作によって切刃部１０２と断熱材１５の境界面との間に発生する隙間に空気が流れ込むことにより断熱効果が低下することを防止する。
【符号の説明】
【００２４】
１０１  支持体
１０３  凹部
１０５  フランジ
１０２  切刃部
１０４  ねじ穴
【図１】
0005972646.tif 000002
【図２】
0005972646.tif 000003
【図３】
0005972646.tif 000004
【図４】
0005972646.tif 000005
【図５】
0005972646.tif 000006
【図６】
0005972646.tif 000007
【図７】
0005972646.tif 000008